(57)【要約】【課題】スクリーンと窓の間の空間の広さを調整できると共に、その構造を簡単にしたロールスクリーン装置とする。【解決手段】建物の外壁１の屋外側における窓３の上枠４に沿った部分に、スクリーン１０を巻き取り、繰り出し自在に取付け、このスクリーン１０にボトムバー１３を設ける。前記窓３の下枠５の突出部５ａに、長尺な第１受け部材２０と短尺な第２受け部材２１を突出姿勢と格納姿勢とに亘って垂直軸の回りに回動自在に取付け、この第１・第２受け部材２０，２１に前記ボトムバー１３を係止することでボトムバー１３が上方に移動しないように支持する構成としたロールスクリーン装置で、第１受け部材２０を用いればスクリーン１０と窓３の間の空間ａの広さが大きく、第２受け部材２１を用いればスクリーン１０と窓３の間の空間ａの広さを小さくできると共に、その構造が簡単である。【選択図】図２
2007285046.tif 000002
【特許請求の範囲】
【請求項１】
建物の外壁の屋外側における窓の上枠に沿った部分に、巻き取り、繰り出し自在に取付けるスクリーンと、
このスクリーンに設けたボトムバーと、
前記窓の下枠における外壁の屋外側面よりも突出した突出部に、突出姿勢と格納姿勢とに亘って垂直軸回りに回動自在に取付けた長さの異なる複数の受け部材を備え、
この各受け部材は前記ボトムバーと係脱自在で、かつ係止することでボトムバーが上方に移動しないように支持するようにしたことを特徴とするロールスクリーン装置。
【請求項２】
建物の外壁の屋外側における窓の上枠に沿った部分に、巻き取り、繰り出し自在に取付けるスクリーンと、
このスクリーンに設けたボトムバーと、
前記窓の下枠における外壁の屋外側面よりも突出した突出部に、突出姿勢と格納姿勢とに亘って垂直軸回りに回動自在に取付けた長さ調整自在の受け部材を備え、
この受け部材は前記ボトムバーと係脱自在で、かつ係止することでボトムバーが上方に移動しないように支持するようにしたことを特徴とするロールスクリーン装置。
【請求項３】
前記受け部材は、下枠の突出部の下面に取付けられて格納姿勢の時に突出部の屋外側端面よりも突出しないようにした請求項１又は２記載のロールスクリーン装置。
【請求項４】
前記受け部材は、下枠の突出部の長手方向に移動自在に取付けてある請求項１又は２又は３記載のロールスクリーン装置。
【発明の詳細な説明】
【技術分野】
【０００１】
本発明は、建物の屋外側に取付けられ、建物の窓から日射が室内に入り込むことを防止するロールスクリーン装置に関する。
【背景技術】
【０００２】
特許文献１に開示されたロールスクリーン装置が知られている。
このロールスクリーン装置は、建物の外壁の窓の上辺に沿って、スクリーンを巻き取り、繰り出し自在に取付け、その外壁の窓の側辺に沿って移動自在なスライダー間に回転軸を設け、この回転軸の螺子部に螺合した左右の誘導ナットに、左右の開閉腕の基端部を水平方向に回動可能にそれぞれ軸着し、この左右の開閉腕の先端部と前記スクリーンの縁部材を回動可能に連結してある。
そして、回転軸を回転することで誘導ナットが左右に移動し、それによって開閉腕が回動してスクリーンの縁部材が建物の屋内・外側方向に平行移動することで、スクリーンと窓の間の空間の広さを調整できる。
【０００３】
【特許文献１】特開２００５−２７３３１４号公報
【発明の開示】
【発明が解決しようとする課題】
【０００４】
前述した従来のロールスクリーン装置によれば、スクリーンと窓の間の空間の広さを大きくしたり、小さくしたりできるから、その空間の換気ができると共に、雨天時においても庇として雨の浸入を防止できる。
しかし、前述した従来のロールスクリーン装置は、左右のスライダと、回転軸と、左右の誘導ナットと、左右の開閉腕によって、スクリーンと窓の空間の広さを調整しているので、その空間の広さを調整するための構造が複雑である。
【０００５】
本発明の目的は、スクリーンと窓の間の空間の広さを調整できると共に、そのための構造が簡単であるロールスクリーン装置を提供することである。
【課題を解決するための手段】
【０００６】
第１の発明は、建物の外壁の屋外側における窓の上枠に沿った部分に、巻き取り、繰り出し自在に取付けるスクリーンと、
このスクリーンに設けたボトムバーと、
前記窓の下枠における外壁の屋外側面よりも突出した突出部に、突出姿勢と格納姿勢とに亘って垂直軸回りに回動自在に取付けた長さの異なる複数の受け部材を備え、
この各受け部材は前記ボトムバーと係脱自在で、かつ係止することでボトムバーが上方に移動しないように支持するようにしたことを特徴とするロールスクリーン装置である。
【０００７】
第２の発明は、建物の外壁の屋外側における窓の上枠に沿った部分に、巻き取り、繰り出し自在に取付けるスクリーンと、
このスクリーンに設けたボトムバーと、
前記窓の下枠における外壁の屋外側面よりも突出した突出部に、突出姿勢と格納姿勢とに亘って垂直軸回りに回動自在に取付けた長さ調整自在の受け部材を備え、
この受け部材は前記ボトムバーと係脱自在で、かつ係止することでボトムバーが上方に移動しないように支持するようにしたことを特徴とするロールスクリーン装置である。
【０００８】
第１・第２の発明においては、前記受け部材は、下枠の突出部の下面に取付けられて格納姿勢の時に突出部の屋外側端面よりも突出しないようにすることができる。
【０００９】
このようにすれば、受け部材を格納姿勢とすることで、その受け部材が下枠の突出部の屋外側面よりも屋外側に突出しないので、その受け部材が邪魔にならない。
【００１０】
第１・第２の発明においては、前記受け部材は、下枠の突出部の長手方向に移動自在に取付けることができる。
【００１１】
このようにすれば、ボトムバーの長手方向の任意の位置を係止して上方に移動しないように支持できる。
【発明の効果】
【００１２】
第１・第２の発明によれば、受け部材を突出姿勢としてボトムバーを係止することで、ボトムバーが上方に移動しないように支持できる。
その受け部材を格納姿勢とすれば、外壁の屋外側面から屋外側に張り出ないから、その受け部材が邪魔にならない。
【００１３】
第１の発明によれば、長い受け部材を用いればスクリーンと窓の間の空間の広さが大きく、短い受け部材を用いれば前述の空間の広さが小さい。
したがって、長さの異なる複数の受け部材を回動自在に取付ける簡単な構造で、スクリーンと窓の間の空間の広さを調整できる。
【００１４】
第２の発明によれば、受け部材を長くすればスクリーンと窓の間の空間の広さを大きく、短くすれば前述の空間の広さが小さい。
したがって、長さ調整自在な受け部材を回動自在に取付ける簡単な構造で、スクリーンと窓の間の空間の広さを調整できる。
【発明を実施するための最良の形態】
【００１５】
図１〜図３に示すように、建物の外壁１の開口部２に窓３が取付けてある。
この窓３は、上枠４と下枠５と左右の縦枠６を枠組みした窓枠７内に障子（図示せず）を開閉自在に取付けてある。
前記外壁１の屋外側における上枠４に沿った部分にスクリーン１０が巻き取り、繰り出し自在に取付けてある。
例えば、外壁１の屋外側面における上枠４の上縁に沿った部分にスクリーンケース１１を取付け、このスクリーンケース１１内に回転自在に設けたスクリーン軸１２にスクリーン１０の基端縁が固着され、その回転軸１０を正逆回転することでスクリーン１０が巻き取り、繰り出しされる。
前記スクリーン１０の先端縁にはボトムバー１３が取付けてある。
【００１６】
前記スクリーンケース１１は上枠４と一体的であっても良いし、上枠４に取付けても良く、さらには外壁１と上枠４に跨って取付けても良い。
つまり、前述のように外壁１の屋外側における上枠４に沿った部分にスクリーンケース１１を取付け、その外壁１の屋外側における上枠４に沿った部分にスクリーン１０を巻き取り、繰り出し自在に取付ければ良い。
【００１７】
前記下枠５の外壁１の屋外側面１ａよりも屋外側に突出した突出部５ａに、長さの異なる複数の受け部材、例えば長尺な第１受け部材２０、短尺な第２受け部材２１の基端部が突出姿勢と格納姿勢とに亘って垂直軸の回りにそれぞれ回動自在に取付けてある。
前記第１・第２受け部材２０，２１が突出姿勢の時には図２、図３の実線で示すように外壁１の屋外側面１ａとほぼ直角に屋外側に向けて張り出す。
前記第１・第２受け部材２０，２１が格納姿勢の時には図３の仮想線でし示すように外壁１の屋外側面１ａとほぼ平行となる。好ましくは、下枠５の突出部５ａの下面に収納されて下枠５の屋外側面よりも屋外側に突出しないように格納する。
【００１８】
前記第１・第２受け部材２０，２１の先端部と前記ボトムバー１３は係脱自在で、係止することでボトムバー１３が上方に移動しないように支持する。
そして、第２受け部材２１を格納姿勢とした時には、第１受け部材２０の先端部とボトムバー１３を係脱する際に第２受け部材２１が邪魔にならない。
また、第１受け部材２０を格納姿勢とした時には、第２受け部材２０の先端部とボトムバー１３を係脱する際に第１受け部材２０が邪魔にならない。
【００１９】
このようであるから、図２に示すように第１受け部材２０を突出姿勢として、その先端部にボトムバー１３を係止して上方に移動しないように支持すれば、スクリーン１０と窓３の間の空間ａの広さが大きくなる。
また、図２に示すように第２受け部材２１を突出姿勢として、その先端部にボトムバー１３を係止して上方に移動しないように支持すれば、スクリーン１０と窓３の間の空間ａの広さが小さくなる。
【００２０】
また、下枠５の突出部５ａに長さの異なる第１・第２受け部材２０，２１を回動自在に設けただけであるから、前記空間ａの広さを調整するための構造が簡単である。
また、スクリーン１０を巻き取りした際には第１・第２受け部材２０，２１を格納位置とすることで、邪魔にならないようにできる。
【００２１】
次に、ボトムバー１３と第１・第２受け部材２０，２１の取付け部分との具体形状を説明する。
図４と図５に示すように、第１・第２受け部材２０，２１は、幅狭い薄い長尺な板状で、その先端部に下向きの係止部２０ａ，２１ａ、例えば下向き片２２を有している。
前記第１・第２受け部材２０，２１の基端部はブラケット２３に縦軸２４で回動自在に取付けてある。
このブラケット２３と第１・第２受け部材２０，２１の基端部とに亘って位置決め手段が設けてあり、この位置決め手段で第１・第２受け部材２０，２１を前述の突出姿勢と格納姿勢に位置決めして保持する。
例えば、第１・第２受け部材２０，２１の基端部を縦軸２４を中心とする半円形状とし、第１凹部２５と一対の第２凹部２６を９０度毎に形成する。
前記ブラケット２３に板ばね２７を取付け、その板バネ２７のＶ字状の折曲部２７ａをブラケット２３の開口２３ａから前記第１・第２凹部２５，２６のいずれか１つに嵌合するようにする。
そして、折曲部２７ａが第１凹部２５に嵌合することで突出姿勢に保持し、第２凹部２６に嵌合することで格納姿勢に保持する。
前述の保持している状態から第１・第２受け部材２０，２１を強い力で回動すると折曲部２７ａと第１・第２凹部２５，２６が離脱する。
【００２２】
前記ブラケット２３が図６に示すように、下枠５の突出部５ａに取付けてある・
前記ボトムバー１３は図６に示すように、長手方向に連続したスクリーン支持部１３ａと、長手方向に連続し、かつ上向きの係止受部１３ｂを備えている。そのスクリーン支持部１３ａは長手方向に連続した上向きコ字形状の溝形状で、スクリーン１０の先端縁に設けた中空のバー材１０ａが長手方向から挿入して取付けられる。
前記係止受部１３ｂは長手方向に連続した上向き鉤形状で、前記第１・第２受け部材２０．２１の係止部２０ａ，２１ａ（下向き片２２）と係止することで、ボトムバー１３が上方に移動しないように支持する。１３ｃは端部カバーである。
【００２３】
図６に示すように、前記下枠５の突出部５ａに、前記ブラケット２３が長手方向に移動可能に取付けてある。
例えば、下枠５の突出部５ａに取付用溝３０を長手方向に連続して形成し、この取付用溝３０に沿って長手方向に移動自在なボルト３１とナット３２でブラケット２３を取付け、そのボルト３１、ナット３２を弛めることでブラケット２３が下枠５の突出部５ａの長手方向に移動自在とし、かつボルト３１、ナット３２を締め付けることでブラケット２３を固定する。
【００２４】
これによって、左右一対の第１・第２受け部材２０，２１を下枠５の突出部５ａにおける長手方向の任意の位置に取付けできるから、第１・第２受け部材２０，２１を、スクリーン１０の先端縁に取付けたボトムバー１３の長手方向両側の任意の位置に係止して連結することができる。
【００２５】
前記下枠５の突出部５ａは水切りの機能を有するものである。
例えば、上面板３３と下面板３４を有し、その上面板３３が水切り勾配を有している。
そして、下面板３４に前述の取付用溝３０が形成されて、前記ブラケット２３が下面に長手方向に移動自在に取付けてある。
前記突出部５ａは下枠本体５ｂと別体としてあるが、一体であっても良い。
【００２６】
次に、本発明の第２の実施の形態を図７に基づいて説明する。
この実施の形態は、受け部材４０を長さ調整自在としたことが前述の第１の実施の形態と相違し、他の構成は同様である。
この受け部材４０は図７に示すように、取付部材４１と中間部材４２を長さ調整自在に連結する。
例えば、中間部材４２に形成した長手方向の長溝４３を挿通した固着具４４で取付部材４１と連結し、その固着具４４を弛めることで長溝４３を、固着具４４に沿ってスライドすることで取付部材４１と中間部材４２の全長を調整できるようにする。
前記中間部材４２に支持部材４５を長さ調整自在に連結し、その支持部材４５の先端部に下向きの係止部４５ａを設ける。
例えば、支持部材４５に形成した長手方向の長溝４６を挿通した固着具４７で中間部材４２と連結し、その固着具４７を弛めることで長溝４６を、固着具４７に沿ってスライドすることで中間部材４２と支持部材４５の全長を調整できるようにする。
前記支持部材４５の先端部に下向片４８を設けて下向きの係止部４５ａとする。
【００２７】
このようであるから、受け部材４０を突出姿勢とした状態で、中間部材４２を取付部材４１に対して長手方向に移動すると共に、支持部材４５を中間部材４２に対して長手方向に移動することで、係止部４５ａの位置を前後方向（屋内外方向）に変更できるので、この係止部４５ａにボトムバー１３の係止受部１３ｂを前述のように係止して支持することにより、前述の空間ａの広さを無断階に調整できる。
【００２８】
前記取付部材４１が前述の第１・第２受け部材２１，２２と同様にブラケット２３に縦軸２４で回動自在に取付けられ、この受け部材４０も突出姿勢と格納姿勢とに亘って回動自在である。
また、突出姿勢と格納位置で位置決めして保持する手段が、前述と同様に設けてある。
【図面の簡単な説明】
【００２９】
【図１】本発明の実施の形態を示すロールスクリーン装置の取付け状態の概略外観図である。
【図２】図１のＡ−Ａ断面図である。
【図３】図１のＢ−Ｂ断面図である。
【図４】第１・第２受け部材の平面図である。
【図５】図４のＣ−Ｃ拡大断面図である。
【図６】第１・第２受け部材を下枠に取付けた状態の詳細側面図である。
【図７】本発明の第２の実施の形態を示す受け部材を下枠に取付けた状態の一部破断側面図である。
【符号の説明】
【００３０】
１…外壁、１ａ…屋外側面、３…窓、４…上枠、５…下枠、５ａ…突出部、１０…スクリーン、１３…ボトムバー、２０…第１受け部材、２１…第２受け部材、４０…受け部材、ａ…空間。
【図１】
2007285046.tif 000003
【図２】
2007285046.tif 000004
【図３】
2007285046.tif 000005
【図４】
2007285046.tif 000006
【図５】
2007285046.tif 000007
【図６】
2007285046.tif 000008
【図７】
2007285046.tif 000009